(57)【要約】【課題】  保護パネル部材と透光性接着剤との密着性が良好な表示装置を提供する。【解決手段】  表示パネル１０は、画像を表示する。保護パネル部材２０は、画像を透視可能である。ケース体３０は、保護パネル部材２０の外周に設けられる。表示パネル２０は、透光性接着剤１５にて保護パネル部材２０に接着されている。ケース体３０は、保護パネル部材２０の端部を覆う保持部３２を有する。【選択図】  図２
2015099291.tif 000002
【特許請求の範囲】
【請求項１】
画像を表示する表示パネルと、前記画像を透視可能である保護パネル部材と、前記保護パネル部材の外周に設けられたケース体と、を備え、前記表示パネルが透光性接着剤にて前記保護パネル部材に接着されている表示装置であって、前記ケース体は、前記保護パネル部材の端部を覆う複数の保持片を有した断面コ字状の保持部を有し、前記保護パネル部材を挟んで対向する前記保持片の長さが異なることを特徴とする表示装置。
【請求項２】
前記保持片は、前記保護パネル部材の裏面側に位置し、前記保護パネル部材の前記端部から中央に向かって徐々に前記保護パネル部材の裏面に近づく傾斜部を有していることを特徴とする請求項１に記載の表示装置。
【発明の詳細な説明】
【技術分野】
【０００１】
本発明は、画像を表示する表示パネルを備えた表示装置に関するものである。
【背景技術】
【０００２】
従来の表示装置として、例えば特許文献１に開示されたものがある。斯かる表示装置は、透明カバープレートと液晶表示器とをＵＶ硬化型接着剤で接着させた構造になっている。これにより、透明カバープレートと空気層との間がＵＶ硬化型接着剤で満たされ、従来存在した空気層との界面での反射が減少して画質が向上する。
【先行技術文献】
【特許文献】
【０００３】
【特許文献１】特開２００９−２５８３３号公報
【発明の概要】
【発明が解決しようとする課題】
【０００４】
しかしながら、特許文献１記載の表示装置は、透明カバープレートとして無機ガラスが用いられ、この透明カバープレートと液晶表示器との間のＵＶ硬化型接着剤による密着性を確保するものである。透明カバープレートを車両用メータのケース体に用いた場合は、メータケースに透明カバープレートを接着剤によって取り付けることになるが、生産性を考慮すると改善の余地がある。このような問題を解決するため、透明カバープレートを金型内にセットし、ケース体を射出成型し、ケース体と透明カバープレートとを一体成型することが考えられる。ケース体と透明カバープレートとを一体成形する際には、視認者が表示装置を表面側から視認したときに、額縁状に見える縁取部を無機ガラスの裏面側に印刷する必要があり、印刷層からなる縁取部が透明カバープレートとＵＶ硬化型接着剤との間に介在することによって透明カバープレートとＵＶ硬化型接着剤との密着度が低下してしまうという問題点があった。
【課題を解決するための手段】
【０００５】
本発明は、画像を表示する表示パネルと、前記画像を透視可能である保護パネル部材と、前記保護パネル部材の外周に設けられたケース体と、を備え、前記表示パネルが透光性接着剤にて前記保護パネル部材に接着されている表示装置であって、前記ケース体は、前記保護パネル部材の端部を覆う第１の保持片と第２の保持片とを有した断面コ字状の保持部を有し、前記保護パネル部材を挟んで対向する前記第１の保持片と前記第２の保持片との長さが異なるものである。
【０００６】
また、本発明は、前記第１の保持片は、前記保護パネル部材の裏面側に位置し、前記保護パネル部材の前記端部から中央に向かって徐々に前記保護パネル部材の裏面に近づく傾斜部からなるものである。
【発明の効果】
【０００７】
保護パネル部材の端部を覆う保持片を設けることにより、印刷層を設けることなく縁取部を備えることができ、さらに保護パネル部材とＵＶ硬化型接着剤との密着性が向上する。
【図面の簡単な説明】
【０００８】
【図１】本発明の第一実施形態を示す正面図。
【図２】同上実施形態を示す断面図。
【図３】同上実施形態を示す要部拡大断面図。
【図４】同上実施形態を示すブロック図。
【図５】本発明の第二実施形態を示す断面図。
【図６】同上実施形態を示す要部拡大断面図。
【発明を実施するための形態】
【０００９】
以下、添付図面に基づいて、本発明の一実施形態を説明する。図１乃至図４は、第一実施形態を示すものである。図５及び図６は、第二実施形態を示すものである。
【００１０】
車両用表示装置は、液晶表示パネル１０，カバープレート２０，ケース体３０，回路基板４０，蓋体５０，中ケース６０を備えている。液晶表示パネル１０は、ＴＦＴ型カラー液晶モジュールからなるものであり、車両速度等の車両情報を表示する。液晶表示パネル１０は、マルチドットやセグメントタイプのものであっても良く、単色表示やフルカラー表示は問わない。また、表示パネルはＥＬモジュールであっても良い。液晶表示パネル１０は、透光性接着剤１５にてオプティカルボンディングされており、カバープレート２０の後面に密着されている。透光性接着剤１５は、ＵＶ硬化型の接着剤である。
【００１１】
カバープレート２０は平板形状の透明な無機ガラスからなるものであり、正面視で矩形になっている。カバープレート２０はケース体３０にインサート成型されている。カバープレート２０は、後述する第２の保持片３４によって縁取られる矩形の窓部２１ｂを有している。
【００１２】
ケース体３０は、ＡＥＳ等の樹脂からなる硬質樹脂材からなるものであり、図２、３に示すように、カバープレート２０の外周を覆っている。ケース体３０には、矩形の開口部３０ａが形成され、ケース体３０内の空間には、液晶表示パネル１０，回路基板５０及び中ケース６０が収容されている。
【００１３】
カバープレート２０の端部を覆う断面コ字状の保持部３２は、カバープレート２０の表面に配置される第１の保持片３３と、カバープレート２０の裏面に配置される第２の保持片３４とから構成されている。本実施形態の場合、第１の保持片３３は第２の保持片３４より、長手方向に短く形成されている。このため、視認者は、第２の保持片３４の第１の保持片３３よりも長い部分である縁取部３５を、カバープレート２０を透視することで視認する。
【００１４】
回路基板４０は、ガラスエポキシ樹脂からなる基材に銅箔からなる配線パターンを形成したものである。蓋体５０は、ＡＥＳやＰＰ等の樹脂からなるものである。蓋体５０は、ビス５１によってケース体３０の後面に固定されている。中ケース６０は、不透明な樹脂（ＰＰ等）からなるものであり、この中ケース６０の後面側に回路基板４０が配置されている。
【００１５】
図４は、車両用表示装置の電気的構成を示すブロック図である。マイコン１００は、ＣＰＵ１０１，ＲＯＭ１０２，ＲＡＭ１０３を有している。速度センサ１１０は、車両速度を検出し、マイコン１００に速度データを出力する。マイコン１００は、ＲＯＭ１０２に格納されている所定のプログラムに基づいて、液晶表示パネル１０，発光素子４１を駆動する。
【００１６】
図５は、第二実施形態を示すものである。第二実施形態は、第一実施形態に比して第３の保持片３６だけが異なり、他の構成は第一実施形態と同様である。
【００１７】
ケース体３０は、ＡＥＳ等の樹脂からなる硬質樹脂材からなるものであり、図５に示すように、カバープレート２０の外周を覆っている。ケース体３０には、矩形の開口部３０ａが形成され、ケース体３０内の空間には、液晶表示パネル１０，回路基板５０及び中ケース６０が収容されている。
【００１８】
カバープレート２０の外周部を覆う断面コ字状の保持部３２は、カバープレート２０の表面に配置される第１の保持片３３と、カバープレート２０の裏面に配置される第３の保持片３６とから構成されている。
【００１９】
第３の保持片３６は、カバープレート２０の裏面側に位置し、カバープレート２０の端部から中央に向かって徐々にカバープレート２０の裏面に近づく傾斜面３６ａを有している。傾斜面３６ａがあることによって、カバープレート２０との段差を小さくすることができるので、印刷層を設けることなく縁取部３５を備えることができる。
【００２０】
第二実施形態は、第一実施形態と同様に、第１の保持片３３は第３の保持片３６より、長手方向に短く形成されている。このため、視認者は、第２の保持片３４の第１の保持片３３よりも長い部分を縁取部３５として視認することができる。
【００２１】
このように、本発明は、画像を表示する表示パネル１０と、画像を透視可能であるカバープレート２０と、カバープレート２０の外周に設けられたケース体３０と、を備え、表示パネル１０が透光性接着剤１５にて保護パネル部材に接着されている表示装置であって、ケース体３０は、カバープレート２０の端部を覆う複数の保持片を有した断面コ字状の保持部３２を有し、カバープレート２０を挟んで対向する第１の保持片３３と第２の保持片３４との長さが異なることにより、視認者は、一方の保持片（第２の保持片３４）の長い部分を縁取部３５として視認することができるので、印刷層を設けることなく縁取部３５を備えることができ、さらに保護パネル部材とＵＶ硬化型接着剤との密着性が向上する表示装置を提供することができる。
【００２２】
また、本発明は、第３の保持片３６は、カバープレート２０の裏面側に位置し、カバープレート２０の端部から中央に向かって徐々にカバープレート２０の裏面に近づく傾斜面３６ａを有していることにより、カバープレート２０との段差を小さくすることができるので、印刷層を設けることなく縁取部３５を備えることができ、さらにカバープレート２０とＵＶ硬化型接着剤１５との密着性が向上する表示装置を提供することができる。
【符号の説明】
【００２３】
１０  液晶表示パネル（表示パネル）
１５  透光性接着剤
２０  カバープレート（保護パネル部材）
２５  フィルム
３０  ケース体
３３  第１の保持片
３４  第２の保持片
３５  縁取部
３６  第３の保持片
３６ａ  傾斜面（傾斜部）
【図１】
2015099291.tif 000003
【図２】
2015099291.tif 000004
【図３】
2015099291.tif 000005
【図４】
2015099291.tif 000006
【図５】
2015099291.tif 000007
【図６】
2015099291.tif 000008